(57)【特許請求の範囲】
【請求項１】
第１電極と発光層と第２電極とを含む薄膜素子が形成された基板と、
前記基板に接合され、前記素子を中空封止する封止手段と、
前記基板及び前記封止手段の少なくともどちらか一方の非有効表示領域に接合された吸湿ブロックと、を備え、
前記吸湿ブロックは、乾燥剤を固めてなる固形乾燥剤ブロックと、前記固形乾燥剤ブロックを覆う絶縁性樹脂材料からなる被覆材と、を含み、
前記固形乾燥剤ブロックは、第１の面が略平坦に形成された単一体であり、
前記第１の面の側において、前記固形乾燥剤ブロックと前記基板および前記封止手段の少なくともどちらか一方とが接合され、
前記被覆材は、前記固形乾燥剤ブロックの表面の少なくとも一部が露出するように設けられた開口部を有し、
前記開口部は、少なくとも前記第１の面に対向する第２の面に設けられていることを特徴とする電気光学装置。
【請求項２】
前記被覆材は、前記固形乾燥剤ブロックの少なくとも角部および前記第１の面全面に設けられており、
前記吸湿ブロックは、前記被覆材により前記基板および前記封止手段の少なくともどちらか一方に接合して前記非有効表示領域に配置されていることを特徴とする請求項１に記載の電気光学装置。
【請求項３】
前記被覆材は、フィルム状に形成された絶縁性の樹脂膜に開口部を設けたものであることを特徴とする請求項１に記載の電気光学装置。
【請求項４】
前記発光層が有機化合物から構成される、請求項１乃至３のいずれかに記載の電気光学装置。
【請求項５】
前記基板及び前記封止手段の少なくともどちらか一方の非表示領域には、前記吸湿ブロックを嵌合し得る溝が形成されていることを特徴とする請求項１乃至４のいずれかに記載の電気光学装置。
【請求項６】
前記乾燥剤は、化学吸着性を有する材料から構成されていることを特徴とする請求項１乃至５のいずれかに記載の電気光学装置。
【請求項７】
請求項１乃至６のいずれかに記載の電気光学装置を備えることを特徴とする電子機器。
【請求項８】
請求項１乃至６のいずれかに記載の電気光学装置を備えることを特徴とする画像形成装置。
【発明の詳細な説明】
【技術分野】
【０００１】
本発明は、吸湿ブロック、電気光学装置、電子機器、画像形成装置及び電気光学装置の製造方法に関し、詳しくは、取扱い性及び強度が改善された吸湿ブロック、電気光学装置、電子機器、画像形成装置及び電気光学装置の製造方法に関する。
【背景技術】
【０００２】
有機ＥＬ素子は、電流を流すことによって自ら発光する自発光素子であり、これを利用した表示装置は、外部光を利用して画像表示を行うＬＣＤ（液晶）等の表示装置よりもさらに薄型にすることが可能である。また、消費電力が低い、応答速度が速い、視野角が広い等の優れた特長を有するため、ＣＲＴ（ブラウン管）やＬＣＤに代わる表示装置として注目を集めている。
【０００３】
有機ＥＬ素子は、典型的には、例えば基板／陽極／有機物層／陰極から構成される。また、有機ＥＬ素子を水分や酸素等の影響から保護するため、基板上の有機ＥＬ素子を例えば封止キャップ等の封止材料により封止する場合がある。
【０００４】
かかる封止キャップは、水分を通し難い接着剤等を介して基板上に接着されるが、素子の信頼性をさらに向上させるため、封止キャップ内に乾燥剤が配置される場合がある。
【０００５】
例えば、特開２００２−５０４７１号公報（特許文献１）及び特開２０００−１７３７６６号公報（特許文献２）には、基板と封止材料との接合部に乾燥剤を配置させる方法が開示されている。
【特許文献１】特開２００２−５０４７１号公報
【特許文献２】特開２０００−１７３７６６号公報
【発明の開示】
【発明が解決しようとする課題】
【０００６】
しかしながら、特許文献１及び特許文献２では、基板と封止材料との接合位置に溝を設け、その中に粉末状の乾燥剤を封入したり、基板と封止材料を接合する接着剤等の材料に乾燥剤を混入する等の方法を採用している。したがって、これらの方法では、乾燥剤を任意の位置に配置することが困難である。
【０００７】
また、従来の固形状の乾燥剤を使用する場合、比較的脆い構造のものが多いため、取扱いに注意を要し、作業に手間を要した。
【０００８】
さらに、乾燥剤が脆いと、搬送又は製造時に、乾燥剤が崩れたり、破損してしまう虞があり、製品の信頼性を向上するためにも、耐衝撃性を有する乾燥剤が求められている。
【０００９】
本発明は、このような問題を解決すべく、取扱いが容易な吸湿性材料を提供することを目的としている。
【００１０】
また、本発明は、搬送又は製造時の衝撃にも破損し難い耐衝撃性を有する吸湿性材料を提供することを目的としている。
【課題を解決するための手段】
【００１１】
上記課題を解決すべく、本発明の第１の態様は、固形状乾燥剤の周囲を少なくとも当該固形状乾燥剤の一部が露出するように被覆材料で被覆している吸湿ブロックを提供するものである。
【００１２】
これによれば、ブロック状に形成されているため、粉状又は粒状の乾燥剤と比較して、取扱いが容易である。また、周囲を被覆材料で覆い補強しているため、衝撃が加わった場合にも崩れ難いので、乾燥剤の破損等による他の部品の汚染や故障等を防止することが可能となり、これを用いた製品の信頼性を向上することが可能となる。
【００１３】
本発明の吸湿ブロックは、閉空間内に封止された湿度を嫌うミクロ電子デバイス等の乾燥材料として特に有用である。このようなミクロ電子デバイスとしては、例えば有機ＥＬ素子、電荷結合型素子（ＣＣＤ）センサ及びミクロエレクトロメカニカルセンサ（ＭＥＭＳ）等が挙げられる。
【００１４】
本発明の第２の態様は、第１電極と発光層と第２電極とを含む薄膜素子が形成された基板と、上記基板に接合され、上記素子を中空封止する封止手段と、を備え、上記基板及び／又は上記封止手段の非有効表示領域に、固形状乾燥剤の周囲を少なくとも当該固形状乾燥剤の一部が露出するように被覆材料で被覆している吸湿ブロックが配置されている電気光学装置である。
【００１５】
これによれば、ブロック状の吸湿ブロックを封止領域の乾燥に用いるので、取扱いが容易であるため、電気光学装置の製造が容易となる。また、吸湿ブロックの配置位置の変更も容易であるため、電気光学装置の設計の自由度が高まる。さらに、吸湿ブロックは被覆材料で覆われており、強度が高く、破損し難いため、電気光学装置の信頼性が向上する。また、このように、非有効表示領域である基板の表示部以外の配線部等や、封止手段の上記基板の表示領域以外の配線部等に対向する領域に吸湿ブロックが配置されることで、デッドスペースの有効活用が可能となり、表示面積を広くとることが可能となる。
【００１６】
上記発光層が有機化合物から構成されていてもよい。電気光学装置が、発光層が有機化合物から構成される有機ＥＬ装置である場合には、特に、水分による影響を受け易く、発光層等の早期劣化を回避するためにも乾燥剤が重要となる。したがって、本発明は有機ＥＬ装置に特に有用に用いられる。
【００１７】
上記基板及び上記封止手段の非有効表示領域に、上記吸湿ブロックを嵌合し得る溝が形成されていることが好ましい。これにより、吸湿ブロックをより安定に固定することが可能となる。
【００１８】
上記固形状乾燥剤が化学吸着性を有する材料から構成されることが好ましい。これによれば、一度吸収した水分が再び放出されることがないので、より信頼性の高い電気光学装置を提供し得る。
【００１９】
本発明の電気光学装置は、種々の電子機器又は画像形成装置に広く好適に適用することが可能である。電子機器の一例としては、例えば、携帯電話、ビデオカメラ、携帯型パーソナルコンピュータ（いわゆるＰＤＡ）、ヘッドマウントディスプレイ、テレビジョン、ロールアップ式テレビジョン等が挙げられる。
【００２０】
本発明の第３の態様は、第１電極と発光層と第２電極とを含む薄膜素子が形成された基板及び／又は上記基板に接合して上記素子を中空封止する封止手段の非有効表示領域に、ペースト状の樹脂材料を供給する工程と、上記樹脂材料に固形状乾燥剤を当該固形状乾燥剤の一部が露出するように埋入する工程と、上記基板と上記封止手段を接合する工程と、を含む電気光学装置の製造方法を提供するものである。
【００２１】
これによれば、ペースト状の樹脂材料を直接基板又は封止手段に供給するので、吸湿ブロックと基板又は封止キャップとを接合するために別途接着剤等を準備しなくてもよい。したがって、所望の位置に簡便に吸湿ブロックを作り込むことが可能となる。
【発明を実施するための最良の形態】
【００２２】
以下、本発明について図面を参照しながら説明する。
（吸湿ブロック）
本発明の吸湿ブロックは、固形状乾燥剤の周囲を少なくとも当該固形状乾燥剤の一部が露出するように被覆材料で被覆した構造を有する。
【００２３】
ここで固形状乾燥剤の露出部の面積、形状等については特に限定するものではないが、露出部の面積は、吸湿ブロックの強度と固形状乾燥剤の吸湿効率のバランスを考慮して定められることが好ましい。
【００２４】
また、吸湿ブロックの形状は、特に限定されない。但し、他部材との接合容易性等の観点からは、他部材との接合面が略平坦であることが好ましい。吸湿ブロックの形状としては、例えば、長方体、正方体、円柱状等が挙げられる。
【００２５】
次に、本発明の吸湿ブロックについて具体例を挙げながら説明する。なお、本発明の吸湿ブロックは下記例示に限定されるものではない。
【００２６】
図１に、本発明の吸湿ブロックの構成例を示す。
【００２７】
図１（Ａ）では、断面矩形状の固形状乾燥剤１２の一面が露出するように、周囲が被覆材料１４で被覆された吸湿ブロック１０が示されている。本例では、このように固形状乾燥剤１２が一面を残し全て固定されているので、形状の脆い固形状乾燥剤１２を用いた場合であっても強度を補強することが可能となるので取扱いが容易となる。また、使用し得る固形状乾燥剤１２の選択の幅が広がる。
【００２８】
図１（Ｂ）では、固形状乾燥剤１２が被覆材料１４から外れないよう、被覆材料１４の開口部に引っ掛り部が設けられた吸湿ブロック１０の例を示す。このように固形状乾燥剤１２を固定するための引っ掛り部が設けられているので、この吸湿ブロック１０を用いることにより運搬時等の衝撃によっても破損しにくい製品を提供することが可能となる。
【００２９】
図１（Ｃ）では、特に破損し易い固形状乾燥剤１２の角部を保護し、全面に露出部を設けた吸湿ブロック１０の例を示す。このように全面に露出部を設けることで、一方向のみではなく多方向から吸湿が可能となる。
【００３０】
図１（Ｄ）では、固形状乾燥剤１２の全面を被覆材料１４で被覆し、被覆材料１４の全面に渡り、開口１３を設けた吸湿ブロック１０の例について示す。このように全面に固形状乾燥剤１２の露出部を設けることで、多方向からの吸湿が可能となる。
【００３１】
なお、被覆材料１４は、例えば、図１（Ｅ）に示すように、薄く（フィルム状に）形成されていてもよい。図１（Ｅ）では、フィルム状の被覆材料１４に微細な開口１３を設けた吸湿ブロック１０の例について示す。被覆材料１４を薄膜化することで、これを使用する製品の一層の軽量化を図ることが可能となる。
【００３２】
本発明に用いられる固形状乾燥剤１２としては、例えば粉末又は粒状の乾燥剤がバインダにより固められたものであってもよく、結晶又は粉末を圧縮した凝結体であってもよい。また、固形状乾燥剤１２を構成する材料としては、特に限定するものではないが、化学吸着性を有する材料を用いることが好ましい。水分の吸湿機構が可逆的である物理吸着性の材料を利用した場合には、環境により一度吸湿した水分を再度排出してしまう虞もあるが、不可逆的に水分を吸湿し得る化学吸着性の材料を用いればこのような虞がない。このような材料としては、例えば、酸化バリウム、五酸化二リン、酸化カルシウム等が挙げられる。また、粉末又は粒状の乾燥剤を固めるバインダとしては、特に限定するものではないが、水分を透過し得るものであることが好ましく、このようなバインダとしては、例えば、酢酸セルロース類、（メタ）アクリレート類、スルホン類、フタレート類、アミド類、エポキシ類、フェノキシ類、シロキサン類等が挙げられる。これらは、単独で用いてもよく、また、組合せて用いてもよい。
【００３３】
被覆材料１４としては、特に限定されるものではないが、加工容易性、電気的短絡等の問題を回避する等の観点からは、例えば樹脂材料等の絶縁材料が好ましい。本発明で用いられる樹脂材料としては、特に限定するものではないが、例えば、シリコン系樹脂、アクリル系樹脂等が挙げられる。
【００３４】
次に、吸湿ブロック１０の製造方法について、一例を挙げて説明する。
【００３５】
図２（Ａ）〜（Ｅ）は、吸湿ブロックの一例の製造方法を説明するための工程図である。以下、同図を参照しながら説明する。
【００３６】
まず、図２（Ａ）に示すように、鋳型２２へ被覆材料１４を充填する。ここでは、被覆材料１４として、例えばシリコン系樹脂等の樹脂材料を用いる。
【００３７】
次に、図２（Ｂ）に示すように、先の工程で鋳型２２に充填した被覆材料１４に凹部２６を形成する。被覆材料１４としてのシリコン系樹脂が硬化する前に、突起部を有する冶具２４の当該突起部を被覆材料１４内に挿入する。シリコン系樹脂が硬化した後、冶具２４を取除く。なお、冶具２４の突起部の形状は特に限定するものではないが、後に嵌め込まれる固形状乾燥剤１２との嵌め込み易さの観点からは、固形状乾燥剤１２と略同形であることが好ましい。
【００３８】
図２（Ｃ）は、被覆材料１４に凹部２６が形成された状態を示す図である。
【００３９】
次に、図２（Ｄ）に示すように、凹部２６に固形状乾燥剤１２を嵌め込む。この際、接着剤で接着させてもよい。これにより、被覆材料１４と固形状乾燥剤１２との密着性をより高めることが可能となる。
【００４０】
その後、図２（Ｅ）に示すように、鋳型２２から被覆材料１４と固形状乾燥剤１２との接合体を取り出すことで吸湿ブロック１０が得られる。
【００４１】
なお、上記においては、冶具２４を被覆材料１４が硬化した後に取除いたが、完全に硬化する前に取除いてもよい。これにより、被覆材料１４が完全に硬化する前に、固形状乾燥剤１２を挿入することが可能となるので、特に接着剤等の媒介物を用いなくても、固形状乾燥剤１２と被覆材料１４との密着性を高めることが可能となる。
【００４２】
また、上記においては、被覆材料１４に形成された凹部２６内に固形状乾燥剤１２を嵌め込んだ例について説明したが、これに限らず、例えば粉末又は粒状の乾燥剤とバインダとのペースト状又は液状の混合物をディスペンサ等により凹部２６内に充填した後硬化させることにより製造してもよい。
【００４３】
また、上記例では、各吸湿ブロック１０ごとに成形する方法について説明したが、これに限定されない。したがって、例えば被覆材料１４としての樹脂材料を平板状に流した後、樹脂材料が硬化する前に上述のような冶具２４を用いて複数の凹部２６を形成し、樹脂材料を硬化させた後、小片に切り出すことによって吸湿ブロック１０を得てもよい。
【００４４】
また、吸湿ブロック１０は、樹脂基板にレーザ又は切削等により複数の凹部２６を形成し、固形状乾燥剤１２を充填した後、小片に切り出すことにより形成してもよい。また、被覆材料１４として感光性樹脂（例：アクリル系樹脂）等を用い、フォトリソグラフィーを利用することで凹部２６を形成してもよい。
【００４５】
本発明の吸湿ブロック１０は、ブロック状に形成されているため、粉状又は粒状の乾燥剤と比較して、取扱いが容易である。また、周囲を被覆材料１４で補強しているため、衝撃が加わった場合にも崩れ難いので、乾燥剤の破損等による他の部品の汚染や故障等を防止することが可能となり、製品の信頼性を向上することが可能となる。
（電気光学装置）
次に、上述のような吸湿ブロック１０を配置した電気光学装置について一例を挙げて説明する。
【００４６】
本実施形態の電気光学装置１００は、薄膜素子１０５が形成された基板１０１と、基板１０１に接合され、薄膜素子１０５を中空封止する封止手段１０７と、基板１０１及び／または封止手段１０７の非有効表示領域に配置された吸湿ブロック１０を備える。
【００４７】
基板１０１は、特に限定するものではなく、例えばガラス基板、シリコン基板、フィルム基板等が用いられる。この基板１０１上には、第１電極１０２と発光層１０３と第２電極（透明陰極）１０４とを含む薄膜素子１０５が形成されている。本実施形態では、より具体的には、基板１０１上に第１電極１０２、発光層１０３及び第２電極（透明陰極）１０４がこの順番で積層されている。第１電極１０２は、例えば、Ａｌ／ＩＴＯ（又はＩＺＯ等）から構成され、第２電極１０４は、ＩＴＯ又はＩＺＯ等から構成される。発光層１０３としては、本例では、例えばポリフルオレン等の従来公知の有機化合物が用いられる。薄膜素子１０５は、この他、必要に応じて電子輸送層、ホール輸送層、電子注入層、ホール注入層等を備えていてもよい。第１電極１０２及び第２電極１０４間に介在する発光層１０３を含む有機物層の組合せとしては、以下のものが挙げられる。例えば、発光層からなる単層型、発光層＋電子輸送層／ホール輸送層からなる２層型、電子輸送層／発光層／ホール輸送層からなる３層型、電子注入層／発光層／ホール輸送層／ホール注入層からなる４層型、電子注入層／電子輸送層／発光層／ホール輸送層／ホール注入層からなる５層型が挙げられる。このような有機物層は、例えばインクジェット法により形成することができる。
【００４８】
封止手段としての封止キャップ１０７は、薄膜素子１０５を中空封止するためのものである。中空封止とは、封止手段が薄膜素子１０５に触れないよう、封止手段１０７と薄膜素子１０５との間に空間を介在させて封止する方法をいう。このような中空構造を有する封止手段（中空封止）によれば、薄膜素子１０５に応力がかかることがなく、よって薄膜素子１０５を構成する積層層が封止手段によりかかる応力により剥離する虞もない。
【００４９】
封止キャップ１０７としては、例えばガラス製のものを使用し得る。但し、これに限定されず、石英、アクリル、シリコン、プラスチック等からなるものを使用してもよい。
【００５０】
封止キャップ１０７は、図３に示すように、基板１０１上に接合した際に薄膜素子１０５との間に空隙（中空部）が存在し得るような深さの凹部１０８を備えた構成をしている。封止キャップ１０７の外形及び凹部１０８形状は、薄膜素子１０５を封止し得る形状であれば特に限定されず、例えば長方体、正方体、円柱状、円錐状、半球状等のいずれであってもよい。
【００５１】
封止キャップ１０７は、封止用接着剤１０６により基板１０１に接合されている。より具体的には、例えば、基板１０１上の接合面（周縁部）に熱硬化性樹脂又は紫外線硬化性樹脂等からなる封止用接着剤１０６を塗布し、窒素、アルゴン、ヘリウム等の不活性ガス雰囲気下で封止キャップ１０７を重ねた後、加熱又は紫外線照射して、封止用接着剤１０６を硬化させ、封止キャップ１０７を基板１０１上に接合する。
【００５２】
吸湿ブロック１０としては、上記で説明したのと同様のものを使用し得る。吸湿ブロック１０は、封止キャップ１０７及び／又は基板１０１の非有効表示領域（光を遮断しない領域）に配置される。図３（Ａ）〜（Ｄ）に、吸湿ブロックの配置例を示す。図３（Ａ）〜（Ｃ）に示すように、吸湿ブロック１０は封止キャップ１０７の上壁面に配置されていてもよく、また、側壁面に配置されていてもよい。また、基板の薄膜素子１０５が形成された以外の領域に配置されていてもよい。また、図３（Ｄ）に示すように、封止キャップ１０７及び／又は基板１０１の非有効表示領域に吸湿ブロック１０を装着するための溝（又は凹部）１１０を設け、溝１１０内に吸湿ブロック１０を嵌め込むようにしてもよい。なお、吸湿ブロック１０は、基板１０１と封止キャップ１０７との接合面に溝又は凹部を形成し、その中に嵌め込むように形成してもよい。
【００５３】
本実施形態では、上述のような吸湿ブロック１０を用いているので、取扱いが容易であるため、電気光学装置の製造が容易となる。また、吸湿ブロック１０の配置位置の変更も容易であるため、電気光学装置の設計の自由度が高まる。さらに、吸湿ブロック１０は強度が高いため、破損し難く、電気光学装置の信頼性が向上する。また、非有効表示領域である基板の表示部以外の配線部等や、封止手段の前記基板の表示領域以外の配線部等に対向する領域に吸湿ブロックを配置することで、デッドスペースの有効活用が可能となり、表示面積を広くとることが可能となる。
【００５４】
なお、本実施形態では、封止手段として封止キャップ１０７を用いた例を示したが、これに限定されず、例えば、基板１０１に形成された薄膜素子１０５上に、一定距離をおいて他の基板（例：ガラス基板）を配置して、基板１０１と他の基板とを公知のシール材等により封止することにより、封止してもよい。
（変形例）
上述の例においては、電気光学装置１００を、吸湿ブロック１０を別体として製造した後、その吸湿ブロック１０を封止キャップ１０７及び／又は基板１０１上に配置することにより製造している。これに対し、本例では、吸湿ブロック１０を封止キャップ１０７上で製造する。
【００５５】
図４は、吸湿ブロック１０の他の製造方法を説明するための工程図である。
【００５６】
まず、図４（Ａ）に示すように、ディスペンサ等により封止キャップ１０７の所望の位置（非有効表示領域）に被覆材料としてのペースト状の樹脂材料１４を配置する。次に、図４（Ｂ）に示すように、樹脂材料１４が硬化する前に、固形状乾燥剤１２を少なくともその一部が表面に露出するように樹脂材料１４内に埋入する。その後、図４（Ｃ）に示すように、位置合わせをして、別途形成した薄膜素子１０５が形成された基板１０１上に、封止用接着剤１０６を介して封止キャップ１０７を接合する。これにより、図４（Ｄ）に示すような、吸湿ブロック１０が適所に配置された電気光学装置１００が得られる。
【００５７】
これによれば、ペースト状の樹脂材料１４を直接封止キャップ１０７上に供給するので、吸湿ブロック１０と封止キャップ１０７を接合するために別途接着剤等を準備しなくてもよい。したがって、所望の位置に簡便に吸湿ブロック１０を作り込むことが可能となる。
【００５８】
なお、本例では、封止キャップ１０７上に吸湿ブロック１０を形成したが、同様の方法で基板１０１上にも吸湿ブロック１０を形成し得る。
【００５９】
また、図４（Ｂ）において、固形状乾燥剤１２を埋入する代わりに、突起部を有する冶具等を用い、樹脂材料１４に固形状乾燥剤１２を嵌め込むための凹部を形成し、当該凹部に固形状乾燥剤１２を嵌め込んでもよい。また、当該凹部に固形状乾燥剤１２を形成するための、粉末又は粒状乾燥剤を混合したバインダ液を充填してもよい。
（電子機器）
次に、本発明に係る電気光学装置を適用可能な電子機器の具体例について、図５及び図６を参照しながら説明する。図５及び図６は、電気光学装置１００（例：有機ＥＬ表示装置）を含んで構成される各種電子機器の例を示す図である。
【００６０】
図５（Ａ）は携帯電話への適用例であり、当該携帯電話８３０はアンテナ部８３１、音声出力部８３２、音声入力部８３３、操作部８３４、および本発明の電気光学装置１００を備えている。図５（Ｂ）はビデオカメラへの適用例であり、当該ビデオカメラ８４０は受像部８４１、操作部８４２、音声入力部８４３、および電気光学装置１００を備えている。図５（Ｃ）は携帯型パーソナルコンピュータ（いわゆるＰＤＡ）への適用例であり、当該コンピュータ８５０はカメラ部８５１、操作部８５２、および電気光学装置１００を備えている。図５（Ｄ）はヘッドマウントディスプレイへの適用例であり、当該ヘッドマウントディスプレイ８６０はバンド８６１、光学系収納部８６２および電気光学装置１００を備えている。
【００６１】
図６（Ａ）はテレビジョンへの適用例であり、当該テレビジョン９００は電気光学装置６００を備えている。なお、パーソナルコンピュータ等に用いられるモニタ装置に対しても同様に電気光学装置１００を適用し得る。図６（Ｂ）はロールアップ式テレビジョンへの適用例であり、当該ロールアップ式テレビジョン９１０は電気光学装置１００を備えている。
【００６２】
本発明に係る電子機器は、上記例に限定するものではない。すなわち、本発明の電気光学装置１００は、上述した例以外にも、例えば、ワークステーション、デジタルスチルカメラ、車載用モニタ、ビューファインダ型ビデオテープレコーダ、モニタ直視型ビデオテープレコーダ、カーナビゲーション装置、ページャ、電子手帳、電卓、ワードプロセッサ、ＰＯＳ端末機等の電子機器に広く適用することができる。
（画像形成装置）
次に、本発明に係る電気光学装置を適用可能な画像形成装置の具体例について、図７を参照しながら説明する。図７は、電気光学装置（例：有機ＥＬ表示装置）を含んで構成される画像形成装置の例を示す模式図である。
【００６３】
図７に示すように、画像形成装置５００は、潜像を形成する感光体５０１と、感光体５０１を帯電する帯電手段（帯電ローラ）５０２と、画像データに応じた光を感光体５０１に書き込む、本発明の電気光学装置を適用した露光手段（プリンタヘッド）５０３と、露光手段５０３から照射される光を集光する集光手段（ロッドレンズアレイ）５０４と、感光体５０１にトナー像を形成する現像手段５０５と、感光体５０１に形成されたトナー像を転写紙に転写する転写手段（転写ローラ）５０６と、転写紙を搬送する転写紙搬送手段５０７とを備えている。かかる構成の画像形成装置５００では、帯電、露光、現像及び転写のプロセスを経て転写紙にトナー像が印字される。
【図面の簡単な説明】
【００６４】
【図１】図１は、本発明の吸湿ブロックの構成例を示す図である。
【図２】図２は、吸湿ブロックの一例の製造方法を説明するための工程図である。
【図３】図３は、吸湿ブロックの配置例を示す図である。
【図４】図４は、吸湿ブロックの他の製造方法を説明するための工程図である。
【図５】図５は、電気光学装置（例：有機ＥＬ表示装置）を含んで構成される各種電子機器の例を示す図である。
【図６】図６は、電気光学装置（例：有機ＥＬ表示装置）を含んで構成される各種電子機器の例を示す図である。
【図７】図７は、電気光学装置（例：有機ＥＬ表示装置）を含んで構成される画像形成装置の例を示す模式図である。
【符号の説明】
【００６５】
１０・・・吸湿ブロック、１２・・・固形状乾燥剤、１４・・・被覆材料、２２・・・鋳型、２４・・・冶具、２６・・・凹部、１００・・・電気光学装置、１０１・・・基板、１０２・・・第１の電極、１０３・・・発光層、１０４・・・第２の電極、１０５・・・薄膜素子、１０６・・・封止用接着剤、１０７・・・封止手段、１０８・・・凹部、１１０・・・溝
【図１】
0004605533.tif 000002
【図２】
0004605533.tif 000003
【図３】
0004605533.tif 000004
【図４】
0004605533.tif 000005
【図５】
0004605533.tif 000006
【図６】
0004605533.tif 000007
【図７】
0004605533.tif 000008